(57)【要約】【課題】撮影動作時の手ブレ現象の発生状況を容易に把握し得ると共に検出ブレ量が大きい場合にシャッターレリーズ動作を不可として失敗画像の取得を防ぐブレ撮像防止ユニットとこれを適用した撮像装置を提供する。【解決手段】シャッターボタン３８と、シャッターボタンの押し下げ方向とは逆方向の付勢力を発生させる付勢部３７ａと、ブレ量を検出するブレ量検出部３６と、ブレ量検出部により検出されたブレ量に基いて付勢部による付勢力を制御する制御部３７ｂとを具備して構成する。【選択図】図１
2010068141.tif 000002
【特許請求の範囲】
【請求項１】
シャッターボタンと、
前記シャッターボタンの押し下げ方向とは逆方向の付勢力を発生させる付勢部と、
ブレ量を検出するブレ量検出部と、
前記ブレ量検出部により検出されたブレ量に基いて前記付勢部による付勢力を制御する制御部と、
を具備することを特徴とするブレ撮像防止ユニット。
【請求項２】
前記制御部は、前記ブレ量検出部により検出されたブレ量が所定量以上であるときに前記シャッターボタンの押し下げを不可とするよう制御することを特徴とする請求項１に記載のブレ撮像防止ユニット。
【請求項３】
前記ブレ量検出部により検出されたブレ量に基いてブレの軌跡データを生成するブレ軌跡データ生成部と、
前記ブレ軌跡データ生成部により生成されたブレの軌跡データに基いてブレの軌跡を撮影中のモニター画像に重畳表示する表示部と、
を、さらに具備することを特徴とする請求項１に記載のブレ撮像防止ユニット。
【請求項４】
前記表示部は、さらに、フォーカスポイントを含む領域を表示することを特徴とする請求項３に記載のブレ撮像防止ユニット。
【請求項５】
請求項１〜請求項４のうちのいずれか一つに記載のブレ撮像防止ユニットが適用されていることを特徴とする撮像装置。
【発明の詳細な説明】
【技術分野】
【０００１】
この発明は、ブレ撮像防止ユニットとこれを適用した撮像装置、詳しくは撮影時に生じるブレを検出して、そのブレが生じている旨を撮影者に告知する機能を備えたブレ撮像防止ユニットとこれを適用した撮像装置に関するものである。
【背景技術】
【０００２】
従来、撮影光学系により結像される光学像を撮像素子等の光電変換素子により光電変換処理することで、所望の被写体の光学像を電気的な画像信号として取得し、この画像信号をデジタルデータ化した画像データと、その関連情報データ等を画像データファイルとして記憶媒体に記憶し得るように構成されたデジタルカメラ等の撮像装置が広く一般に普及している。
【０００３】
一般に、デジタルカメラ等の撮像装置を用いて静止画像や動画像等の画像データファイルを取得するために撮影動作を実行する際には、撮影者は撮像装置を手で保持するのが普通である。この撮影動作中に撮影者の手が振れたりすると撮像装置自体が動いてしまうことになり、その結果、得られる画像データによって表示される画像の被写体像がブレてしまう（つまり像ブレが生じてしまう）現象、いわゆる手ブレ現象が発生することがある。
【０００４】
そこで、このような手ブレ現象を検出し、手ブレを防止したり、手ブレが発生していることを警告音や警告表示等によって撮影者に告知する機能を備えた撮像装置については、従来種々の提案がなされている。
【０００５】
また、特開２００６−１６６３９６号公報によって開示されている撮像装置では、手ブレ検出手段により検出された手ブレの状況を表示モニターの端部を用いてグラフ表示を行って、時系列な手ブレの状態や、水平方向及び垂直方向のブレ量の状態を撮影者に視覚的に知らせるようにする手段が開示されている。
【０００６】
さらに、特開平５−３１３２４１号公報によって開示されている撮像装置は、手ブレ検出手段により検出された信号に基いて手ブレの状況をＬＥＤ表示装置を用いて線分表示する手段が開示されている。
【特許文献１】特開２００６−１６６３９６号公報
【特許文献２】特開平５−３１３２４１号公報
【発明の開示】
【発明が解決しようとする課題】
【０００７】
ところが、従来の撮像装置において、撮影動作中に手ブレが発生した場合に警告音を発生させたり、表示装置の画面上に表示中の画像に文字やマーク等を重畳表示させる等の手段のものでは、生じている手ブレの方向や手ブレ量を把握することが困難である。
【０００８】
また、警告音を発生させるものでは、例えば静かな撮影状況下においては、周囲に迷惑となる場合がある。
【０００９】
さらに、警告表示を行うものでは、撮影者が表示を凝視してしまう傾向があり、撮影中に被写体から視線が離れたり、警告表示を凝視することにより撮像装置のホールディングがおろそかになり、かえって手ブレを増大させてしまう等の問題点がある。
【００１０】
一方、特開２００６−１６６３９６号公報によって開示されている手段では、手ブレの状況を単に時系列に、水平・垂直方向のブレ量を表示するのみであるので、その表示を見た撮影者が手ブレを抑えるための修正方向を知ることは困難である。
【００１１】
他方、上記特開平５−３１３２４１号公報によって開示されている手段では、被写体像を観察するためのファインダーとは別にＬＥＤ表示装置が備えられていることから、撮影動作中の手ブレ状況を把握しにくい構造であるといえる。
【００１２】
また、上記特開２００６−１６６３９６号公報や上記特開平５−３１３２４１号公報によって開示されている手段等では、手ブレ検出手段により検出された手ブレ状況の情報は、リアルタイムで表示されるのみであり、撮影者は常にシャッターボタンを操作して撮影動作を実行することができるようになっている。したがって、手ブレ警告の表示中にシャッターレリーズされた場合には手ブレの生じた失敗写真になってしまう可能性が高いという問題点は回避できない。
【００１３】
なお、上記各公報等によって開示されている手段では、検出された手ブレ状況を記録するような構成についての開示はない。
【００１４】
本発明は、上述した点に鑑みてなされたものであって、その目的とするところは、撮像装置を用いて撮影動作を行う際に生じる手ブレ現象の発生状況を容易に把握することができると共に、検出された手ブレ量が大きい場合には、シャッターレリーズ動作を不可とすることで、ブレの生じた失敗画像の取得を防ぐことができるブレ撮像防止ユニットとこれを適用した撮像装置を提供することである。
【００１５】
また、検出された手ブレ量のデータを画像と共に記録し、後日手ブレ状況を表示させ得るようにすることで、手ブレを生じさせないホールディング技術の向上に寄与することができるブレ撮像防止ユニットとこれを適用した撮像装置を提供することである。
【課題を解決するための手段】
【００１６】
上記目的を達成するために、本発明によるブレ撮像防止ユニットは、シャッターボタンと、前記シャッターボタンの押し下げ方向とは逆方向の付勢力を発生させる付勢部と、ブレ量を検出するブレ量検出部と、前記ブレ量検出部により検出されたブレ量に基いて前記付勢部による付勢力を制御する制御部と、を具備することを特徴とする。
【発明の効果】
【００１７】
本発明によれば、撮像装置を用いて撮影動作を行う際に生じる手ブレ現象の発生状況を容易に把握することができると共に、検出された手ブレ量が大きい場合には、シャッターレリーズ動作を不可とすることで、ブレの生じた失敗画像の取得を防ぐことができるブレ撮像防止ユニットと、これを適用した撮像装置を提供することができる。
【００１８】
また、本発明によれば、検出された手ブレ量のデータを画像と共に記録し、後日手ブレ状況を表示させ得るようにすることで、手ブレを生じさせないホールディング技術の向上に寄与することができるブレ撮像防止ユニットと、これを適用した撮像装置を提供することができる。
【発明を実施するための最良の形態】
【００１９】
以下、図示の実施の形態によって本発明を説明する。
【００２０】
（第１の実施形態）
本発明の第１の実施形態のブレ撮像防止ユニットを適用した撮像装置について、図１，図２，図３を用いて以下に説明する。
【００２１】
図１は、本発明の第１の実施形態のブレ撮像防止ユニットを適用した撮像装置の主要構成を概略的に示すブロック構成図である。図２は、図１の撮像装置に適用されるブレ撮像防止ユニットの主要構成と、これに関連する構成部材を取り出して示す要部ブロック構成図である。図３は、図１の撮像装置に適用されるブレ撮像防止ユニットのシャッター抑圧制御部によるシャッター抑圧力のブレ量に応じた制御を示すグラフである。
【００２２】
図１に示すように、本実施形態のブレ撮像防止ユニット２を適用した撮像装置１は、撮影光学系２１と、シャッター部２２と、撮像素子２３（図１ではＣＣＤ）と、プリプロセス部２４と、ＡＤ変換部２５（図１ではＡＤ部）と、画像処理部２６と、バス２７と、メモリ制御部２８と、一時メモリ２９（図１ではＳＤＲＡＭ）と、ビデオエンコーダ３０と、圧縮伸長部３１（図１ではＪＰＥＧ部）と、制御回路部３２（図１ではＣＰＵ）と、メモリカード３３と、表示部３４と、操作スイッチ３５（図１では操作ＳＷ）と、シャッターレリーズボタン３８と、ブレ撮像防止ユニット２等によって主に構成されている。
【００２３】
撮影光学系２１は、被写体からの光束を透過させて光学像を結像させる複数の光学レンズと、これら複数の光学レンズを保持するレンズ鏡筒と、上記複数の光学レンズのうちの任意の光学レンズを適宜所定の操作指示にしたがって光軸Ｏに沿う方向に移動させて、焦点調節動作や変倍動作を実現する駆動機構等からなる。
【００２４】
シャッター部２２は、撮影光学系２１を透過して当該撮像装置１の内部に入射する光束を通過させ又は遮蔽する制御を行うことで、撮像素子２３の受光面の露出時間を制御する機構である。
【００２５】
撮像素子２３は、撮影光学系２１，シャッター部２２を経て受光面上に照射される被写体からの光束により形成される被写体の光像を受けて光電変換処理を行って画像信号を形成する光電変換素子、例えばＣＣＤ（シーシーディー；電荷結合素子；Charge Coupled Device）やＣＭＯＳ（シーモス；相補型金属酸化膜半導体；Complementary Metal Oxide Semiconductor）等の固体撮像素子を用いて形成されるイメージセンサーである。なお、図１において撮像素子２３は、単にＣＣＤと略記している。以降は、ＣＣＤ２３と表記する。
【００２６】
プリプロセス部２４は、撮像素子２３により光電変換処理されて生成され出力される画像信号を受けて、例えば増幅，波形成形，ノイズ除去等の前処理を行うアナログ信号処理回路である。
【００２７】
ＡＤ変換部２５は、プリプロセス部２４から出力される信号処理済みのアナログ画像信号を受けてデジタル画像信号に変換するアナログ−デジタル変換回路である。なお、図１においてＡＤ変換部２５は、ＡＤ部と略記している。以降は、ＡＤ部２５と表記する。
【００２８】
画像処理部２６は、ＡＤ部２５から出力されるデジタル画像信号を受けて各種様々な画像信号処理を行うデジタル信号処理回路である。
【００２９】
なお、上記ＣＣＤ２３からプリプロセス部２４，ＡＤ部２５，画像処理部２６の間は、順に信号線により電気的に接続されていて、この信号線を介して画像信号が順次伝達されるようになっている。
【００３０】
バス（bus）２７は、本撮像装置１の各構成回路を電気的に接続し、各回路間のデータ交換をするための経路を構成する信号線である。
【００３１】
メモリ制御部２８は、一時メモリ２９を制御して、これに一時的に書き込まれた信号の制御を行う制御回路である。
【００３２】
一時メモリ２９は、画像処理部２６から出力される信号処理済のデジタル画像信号を一時的に記憶する記憶領域である。この一時メモリ２９としては、例えばＳＤＲＡＭ（エスディーラム；Synchronous Dynamic Random Access Memory）等が適用される。なお、図１において一時メモリ２９は、単にＳＤＲＡＭと略記している。以降は、ＳＤＲＡＭ２９と表記する。
【００３３】
ビデオエンコーダ３０は、ＳＤＲＡＭ２９に一時記憶された信号を受けて、表示用の画像信号、例えばＮＴＳＣ（エヌティーエスシー；National Television Standards Committee）規格又はＰＡＬ（パル；Phase Alternating Line）規格等の所定のビデオフォーマットにしたがった表示用画像信号に変換する信号処理回路である。
【００３４】
圧縮伸長部３１は、ＳＤＲＡＭ２９に一時記憶された信号を受けて、記録用の画像データ、例えばＪＰＥＧ（ジェイペグ；Joint Photographic Experts Group）方式のデータ圧縮処理を行ったり、メモリカード３３に記録済みの圧縮データを伸長処理する信号処理回路である。なお、図１において圧縮伸長部３１は、単にＪＰＥＧ部と略記している。以降は、ＪＰＥＧ部３１と表記する。
【００３５】
制御回路部３２は、本撮像装置１の各構成回路を統括的に制御する回路部である。この制御回路部３２としては、例えばＣＰＵ（シーピーユー；中央演算処理装置；Central Processing Unit）等が適用される。なお、図１において制御回路部３２は、単にＣＰＵと略記している。以降は、ＣＰＵ３２と表記する。
【００３６】
メモリカード３３は、本撮像装置１によって取得された画像信号を画像データとして記憶する補助記憶装置である。このメモリカード３３は、例えばフラッシュメモリ（不揮発性半導体メモリ）や超小型ハードディスク等の記憶媒体とインターフェースを備えて構成される薄型カード形状の記憶装置である。メモリカード３３は、本撮像装置１に対して着脱自在に設けられる形態のものや、本撮像装置１の内部回路に一体に構成される形態のもの等、各種の形態のものが適用され得る。
【００３７】
表示部３４は、ビデオエンコーダ３０から出力される表示用画像信号を受けて、画像として表示する表示装置である。この表示部３４としては、例えば液晶ディスプレイ（ＬＣＤ；Liquid Crystal Display）等の表示装置が適用される。
【００３８】
操作スイッチ３５は、本撮像装置１に設けられる各種の操作部材、例えばシャッターレリーズボタン３８等の操作に連動して所定の指示信号をＣＰＵ３２に向けて出力するスイッチ群である。なお、図１において操作スイッチ３５は、単に操作ＳＷと略記している。以降は、操作ＳＷ３５と表記する。また、図１において操作部材としては、シャッターレリーズボタン３８を図示するのみである。本実施形態において、他の操作部材については本発明に直接関連しないので、その図示を省略している。
【００３９】
ブレ撮像防止ユニット２は、ブレ量検出部であるブレ検出部３６と、シャッター抑圧制御部３７とによって主に構成されるユニットである。
【００４０】
ブレ検出部３６は、例えばジャイロセンサー（角速度センサー）等を有して構成され、本撮像装置１のブレ量を検出するブレ量検出回路である。
【００４１】
シャッター抑圧制御部３７は、シャッターレリーズボタン３８の押し下げ方向とは逆方向に向かう付勢力を発生させる付勢部３７ａと、ブレ検出部３６によって検出されるブレ量に基いて付勢部３７ａによる付勢力を制御する制御部３７ｂとによって構成される。
【００４２】
その他、本発明に関連しない部分の構成については、通常一般のデジタルカメラと同様に構成されているものとして、それらの詳細な図示及び説明は省略する。
【００４３】
次に、本実施形態のブレ撮像防止ユニット２を適用した上記撮像装置１における撮像動作時の作用を以下に簡単に説明する。
【００４４】
まず、本撮像装置１の電源がオン状態にされ、動作モードが撮影モードに設定されている状態にあるときには、被写体からの光束が撮影光学系２１を介して当該撮像装置１の内部へと入射する。
【００４５】
この場合において、ＣＰＵ３２によるシャッター部２２の駆動制御は、撮像装置１の形式、例えば一眼レフレックス方式のものであるか、いわゆるコンパクトタイプのものであるかによって異なる。
【００４６】
例えば、一眼レフレックス方式の撮像装置では、電源オン状態でかつ撮影モードに設定されているとき、シャッター部２２は閉状態となるように制御されている。
【００４７】
この状態において、撮影者により操作部材のうちシャッターレリーズボタン３８の半押し操作がなされると、この半押し操作によって操作ＳＷ３５からＡＥ指示及びＡＦ指示信号が発生する。これらの指示信号を受けてＣＰＵ３２は、撮影光学系２１，測光装置（図示せず）等を駆動制御して自動焦点調節動作（ＡＦ動作）や自動露出調節動作（ＡＥ動作）を行う。
【００４８】
続いて、シャッターレリーズボタン３８の全押し操作がなされると、この全押し操作によって生じる操作ＳＷ３５からのレリーズ指示信号を受けて、ＣＰＵ３２は、直前の自動露出調節動作によって算出された露出値に基いてシャッター部２２を駆動制御して当該シャッター部２２を所定時間だけ開状態とした後、再び閉状態とする露出制御を実行する。これにより、ＣＣＤ３２の受光面上には、被写体の光像が所定時間だけ適正露出で結像される。
【００４９】
一方、いわゆるコンパクトタイプの撮像装置では、電源オン状態でかつ撮影モードに設定されているとき、シャッター部２２は開状態となるように制御されている。したがって、撮影光学系２１を透過した被写体からの光束は、開状態のシャッター部２２を通過してＣＣＤ２３の受光面を常時照射している状態にある。
【００５０】
この状態において、ＣＰＵ３２は、ＣＣＤ２３を駆動制御して、当該ＣＣＤ２３により受光している光束についての測光動作を行って適正露出となるように露出制御を行っている。
【００５１】
そして、撮影者により操作部材のうちシャッターレリーズボタン３８の半押し操作がなされると、この半押し操作によって操作ＳＷ３５からＡＦ指示信号が発生する。この指示信号を受けてＣＰＵ３２は、撮影光学系２１を駆動制御して自動焦点調節動作（ＡＦ動作）を行う。
【００５２】
続いて、シャッターレリーズボタン３８の全押し操作がなされると、この全押し操作によって生じる操作ＳＷ３５からのレリーズ指示信号を受けて、ＣＰＵ３２は、シャッター部２２を駆動制御して、直前の自動露出調節動作に伴う測光動作よって算出された露出値に基づく露出制御を実行する。これにより、ＣＣＤ３２は、所定のタイミングで実行されたレリーズ動作に対応する画像信号を取得する。
【００５３】
このように、撮影光学系２１を透過した入射光束がＣＰＵ３２により制御されるシャッター部２２によって露光制御されて、ＣＣＤ２３の受光面上に照射される。
【００５４】
ＣＣＤ２３は、受光面上に結像された被写体の光像を受けて光電変換処理を行って画像信号を生成する。このＣＣＤ２３により生成された画像信号は、プリプロセス部２４へと出力される。
【００５５】
プリプロセス部２４は、ＣＣＤ２３からの出力信号を受けて、増幅，波形成形，ノイズ除去等の所定のアナログ画像信号処理を施してＡＤ部２５へと出力する。
【００５６】
これを受けてＡＤ部２５は、アナログ−デジタル信号変換処理を行ってデジタル画像信号を生成し、画像処理部２６へと出力する。
【００５７】
これを受けて画像処理部２６は、種々の画像信号処理を実行する。この画像処理部２６により信号処理された画像信号は、ＣＰＵ３２の制御下でメモリ制御部２８の指示にしたがい、バス２７を介してＳＤＲＡＭ２９へと伝送され、このＳＤＲＡＭ２９に一時的に記憶される。
【００５８】
同時に、画像処理部２６により信号処理されＳＤＲＡＭ２９に一時記憶された画像信号は、ＣＰＵ３２の制御下でメモリ制御部２８の指示にしたがい、バス２７を介してビデオエンコーダ３０へと伝送される。
【００５９】
これを受けてビデオエンコーダ３０は、入力された画像信号に基いて所定のビデオフォーマットにしたがった表示用の画像信号への変換処理を行う。このビデオエンコーダ３０で生成された画像信号は、表示部３４へと出力される。これを受けて表示部３４は、画像の表示動作を実行する。これにより、表示部３４の表示画面上にはモニター画像が表示される。
【００６０】
一方、画像処理部２６により信号処理されＳＤＲＡＭ２９に一時記憶された画像信号は、ＣＰＵ３２の制御下でメモリ制御部２８の指示にしたがい、バス２７を介してＪＰＥＧ部３１へと出力される。
【００６１】
これを受けてＪＰＥＧ部３１は、ＣＰＵ３２により指示される圧縮率等の記録条件にしたがった信号圧縮処理を実行し画像信号の圧縮データを生成する。この圧縮データは、ＣＰＵ３２の指示にしたがってメモリカード３３の所定の領域に記憶される。
【００６２】
本撮像装置１における上述した一連の撮影動作の実行中におけるブレ撮像防止ユニット２の作用を次に示す。
【００６３】
まず、撮像装置１が電源オン状態にあり、かつ動作モードが撮影モードに設定されているとき、ブレ検出部３６は、ＣＰＵ３２の制御下で本撮像装置１のブレ量を検出するブレ検出動作を実行する。このブレ検出動作は、撮像装置１の電源オン状態にあるとき常に動作させるようにしてもよいし、撮影者により操作部材のうち所定の操作ボタンが操作されている間だけ動作させるようにしてもよい。本実施形態においては、撮影者によるシャッターレリーズボタン３８の押圧操作によってブレ検出部３６の動作を開始させるようにし、当該シャッターレリーズボタン３８の押圧操作がなされている間、ブレ検出部３６の動作を継続するようにした場合を例に挙げて説明している。
【００６４】
即ち、撮影者がシャッターレリーズボタン３８の所定の操作、例えば半押し操作を行うと、操作ＳＷ３５からシャッター半押し操作指示信号が発生する。この指示信号を受けてＣＰＵ３２は、ブレ検出部３６の駆動制御を開始する。これにより、ブレ検出部３６は、シャッターレリーズボタン３８の半押し操作が継続してなされている間、ブレ検出動作を継続的に実行する。このブレ検出動作中にブレ検出部３６によって検出されたブレ量（以下、検出ブレ量という）のデータ信号は、シャッター抑圧制御部３７へと伝達される。
【００６５】
このデータ信号を受けたシャッター抑圧制御部３７は、ＣＰＵ３２の制御下で、予め設定されておりＣＰＵ３２から指示されるブレ量に関する設定閾値と、上記検出ブレ量のデータ信号とを比較する信号処理を行う。
【００６６】
ここで、シャッター抑圧制御部３７は、制御部３７ｂの制御によって付勢部３７ａによる付勢力を制御して、シャッターレリーズボタン３８の押圧力（シャッター抑圧力）が、検出ブレ量に応じて大となるように制御する。
【００６７】
つまり、シャッターレリーズボタン３８の押し下げ方向とは逆方向に向かう付勢力が、検出ブレ量が増大するにしたがって次第に大きくなるように、シャッター抑圧制御部３７の付勢部３７ａによる付勢力の制御を行う。したがって、これにより、シャッター抑圧力が大になるほど、シャッターレリーズボタン３８を押し下げる力量が重くなるように制御される。
【００６８】
この場合におけるシャッター抑圧制御部３７によるシャッター抑圧力は、検出ブレ量に応じて、例えば図３の線図に示すように制御されている。
【００６９】
図３に示す例では、検出ブレ量が増大する程、シャッター抑圧力が大となるように付勢部３７ａを制御している。
【００７０】
この場合においては、図３に示すようにブレ量に関する２つの設定閾値Ａ，Ｂが設定されている。そして、ブレ検出部３６による検出ブレ量が０（ゼロ）の状態から同検出ブレ量が設定閾値Ａとなるまでの期間と、検出ブレ量が設定閾値Ａの状態から設定閾値Ｂとなるまでの期間Ｐにおいては、検出ブレ量の増加に伴ってシャッター抑圧力が徐々に増大する制御がなされる。
【００７１】
なお、検出ブレ量が０（ゼロ）の状態から設定閾値Ｂとなるまでの期間において、シャッターレリーズボタン３８の全押し操作によるシャッターレリーズ動作は許可されるようになっている。
【００７２】
換言すれば、ブレ検出部３６による検出ブレ量が増大する程、シャッター抑圧制御部３７によるシャッター抑圧力が大となることから、操作者は、シャッターレリーズボタン３８を押圧する指先にかかる力量によって、ブレ状況を把握することができるようになっている。
【００７３】
さらに、図３に示すように、設定閾値Ｂを超えるブレ量が検出された場合（検出ブレ量が設定閾値Ｂを超えた場合。図３の期間Ｎ。）には、シャッター抑圧制御部３７は、所定のシャッター抑圧力となるように制御している。この場合において設定されるシャッター抑圧力は、シャッターレリーズボタン３８の全押し操作を不可とする力量としている。
【００７４】
つまり、設定閾値Ｂを超えるブレ量が検出された場合には、シャッターレリーズボタン３８の全押し操作が不可となるような制御がなされる。したがって、設定閾値Ｂとしては、例えば撮影動作を行った場合にブレに起因する失敗写真となることが確実と思われる程度のブレ量の値が設定される。これにより、操作ＳＷ３５からはレリーズ指示が発生しないことになり、よってシャッター部２２の駆動は行われずにレリーズ動作も行われない。
【００７５】
なお、シャッターレリーズボタン３８の全押し操作を不可とする制御としては、例えばシャッターレリーズボタン３８の押し下げ方向とは逆方向に向かう付勢力を発生させる付勢部３７ａの付勢力を制御して、シャッターレリーズボタン３８の押し下げ操作を機械的に不可とする制御である。
【００７６】
また、これとは別に、シャッターレリーズボタン３８の全押し操作を行ったときに操作ＳＷ３５からのレリーズ指示信号が発生しないように電気的な制御を行うようにしてもよい。
【００７７】
以上説明したように上記第１の実施形態によれば、ブレ撮像防止ユニット２のブレ検出部３６により、シャッターレリーズボタン３８の半押し操作中における撮像装置１のブレ量を継続的に検出し、検出ぶれ量のデータをシャッター抑圧制御部３７へと出力するようにしている。
【００７８】
そして、シャッター抑圧制御部３７は、ブレ検出部３６から出力されるデータに基づく検出ぶれ量に応じて付勢部３７ａによる付勢力の制御を行って、検出ぶれ量の増大に伴って徐々にシャッター抑圧力が大となるようにしている。
【００７９】
これにより、撮影者は、シャッターレリーズボタン３８の半押し操作中における抑圧力を指先で感じることで、ブレの発生状況を容易に認知することができる。したがって、警告音で周囲に迷惑をかけることなく、また、警告表示に注意をそらされることなく、撮影者は、ブレの状況を知ることができるので、認知したブレの状況に応じて撮像装置１のホールディングに注意する等の対応ができる。これにより、像ブレを抑えた撮影結果（撮影画像）を得ることができる可能性が高くなる。
【００８０】
さらに、検出ぶれ量が設定閾値Ｂを超えた場合には、シャッター抑圧制御部３７は、シャッターレリーズボタン３８の全押し操作を不可とする制御がなされる。つまり、設定閾値Ｂを超えるブレ量が検出された場合には、シャッター部２２の駆動が行なれないようにし、よってレリーズ動作を不可としている。
【００８１】
これにより、検出ブレ量が大きい場合（設定閾値Ｂを超えた場合）には、撮影動作を不可としたので、像ブレが発生した画像を無駄に撮影してしまうようなこともない。
【００８２】
なお、このようにブレ量が大きくなってしまうような撮影状況下では、三脚等を用いて撮影するのが一般である。つまり、本実施形態の撮像装置１においては、検出ブレ量が設定閾値Ｂを越えてしまうような状況でレリーズ動作を不可とするようにしたので、撮影者に対し三脚使用の判断の目安を提示することができる。したがって、像ブレのない確実な撮影結果（撮影画像）を得ることができるようになる。
【００８３】
（第２の実施形態）
次に、本発明の第２の実施形態のブレ撮像防止ユニットを適用した撮像装置について、図４，図５，図６，図７を用いて以下に説明する。
【００８４】
図４は、本発明の第２の実施形態のブレ撮像防止ユニットを適用した撮像装置の主要構成を概略的に示すブロック構成図である。図５は、図４の撮像装置に適用されるブレ撮像防止ユニットの主要構成と、これに関連する構成部材を取り出して示す要部ブロック構成図である。図６は、図４の撮像装置に適用されるブレ撮像防止ユニットのシャッター抑圧制御部による「通常撮影モード−ＩＩ」時の制御を示すグラフである。図７は、図４の撮像装置に適用されるブレ撮像防止ユニットの「訓練モード」時の制御を示すグラフである。
【００８５】
本発明の第２の実施形態の構成は、基本的には、上述の第１の実施形態の構成と略同様である。
【００８６】
本実施形態の撮像装置１Ａにおいては、シャッター抑圧制御部３７によるシャッター抑圧力の制御モードを複数備え、その制御モードを選択指定するモード選択ボタン３９を、さらに具備している点が異なる。したがって、上述の第１の実施形態と同様の構成部材については、同じ符号を附して、その詳細説明は省略する。
【００８７】
本実施形態の撮像装置１Ａは、上述の第１の実施形態の撮像装置１の構成に加えて、操作部材として操作ＳＷ３５に連動するモード選択ボタン３９を具備している。
【００８８】
したがって、撮影者がモード選択ボタン３９を操作すると、操作ＳＷ３５は、選択指示された所定の制御モード信号をＣＰＵ３２に向けて出力するようになっている。
【００８９】
本撮像装置１Ａのブレ撮像防止ユニット２において設定し得るシャッター抑圧制御部３７の制御モードとしては、例えば「通常撮影モード−Ｉ」，「通常撮影モード−ＩＩ」，「訓練モード」等がある。
【００９０】
これらの制御モードのうち「通常撮影モード−Ｉ」（図３参照），「通常撮影モード−ＩＩ」（図６参照）は、撮影動作時の制御モードであって、シャッター抑圧制御部３７によってシャッター抑圧力を制御しながらシャッターレリーズ動作を許可して実際の撮影動作を実行し得るようにした場合の二種類の制御モードの例である。
【００９１】
また、「訓練モード」（図７参照）は、撮像装置１Ａを撮影モードで動作させ、ブレ量が設定閾値Ａを超えた場合にシャッターレリーズボタン３８の全押し操作によりレリーズ動作を不可とする制御モードである。また、この訓練モードでは、ブレ量に応じたシャッター抑圧力の制御も行われない。この訓練モードは、ブレ量に対するホールディングの練習等を行う場合に主に使用する制御モードである。
【００９２】
なお、モード選択ボタン３９によって選択し得る制御モードとしては、上述の３つの制御モードのみに限定されることはなく、他の異なる制御モードも考えられ、それらの他の制御モードを選択することができるようにしてもよい。
【００９３】
このように構成される本実施形態の撮像装置１Ａの作用は、基本的には上述の第１の実施形態の撮像装置１の作用と略同様である。
【００９４】
本実施形態の撮像装置１Ａにおいては、電源オン状態とされ、かつ動作モードが撮影モードに設定された状態となっているとき、撮影者は、撮影動作に先立ってモード選択ボタン３９を用いて所望の制御モードを選択する操作を行う。
【００９５】
モード選択ボタン３９が操作されると、これを受けて操作ＳＷ３５から選択された制御モードでの動作を指示する指示信号がＣＰＵ３２へと送られる。これを受けてＣＰＵ３２は、本撮像装置１Ａのシャッター抑圧制御部３７を選択された制御モードでの駆動制御を開始する。
【００９６】
この場合において、選択された制御モードが「通常撮影モード−Ｉ」である場合には、上述の第１の実施形態において図３を用いて説明した駆動制御と同様の制御がなされるものとする（図３参照）。
【００９７】
一方、「通常撮影モード−ＩＩ」（図６参照）が選択された場合には、次に示すような駆動制御が行われる。
【００９８】
即ち、この制御モードは、図６に示すように、まず、ブレ検出部３６による検出ブレ量に関らず、初めからある程度のシャッター抑圧力がシャッターレリーズボタン３８に対して加える制御がなされている。
【００９９】
そして、検出ブレ量が増大するとともにシャッター抑圧力が大となるように制御される。この場合において、ブレ量の増大に対するシャッター抑圧力の増加量の度合いは、上述の「通常撮影モード−Ｉ」の場合と比べて若干穏やかとなるように制御している。このことは、図３，図６におけるグラフ線の傾きを見ても明らかである。
【０１００】
検出ブレ量が設定閾値Ａに達すると、シャッター抑圧力を所定量だけ急激に大とする制御がなされる。
【０１０１】
続いて、検出ブレ量が設定閾値Ａの状態から設定閾値Ｂとなるまでの期間Ｐにおいて、検出ブレ量の増加に伴ってシャッター抑圧力が徐々に増大するように制御される。
【０１０２】
ここまでの期間においては、シャッターレリーズボタン３８の全押し操作によるシャッターレリーズ動作は許可されるようになっている。
【０１０３】
そして、検出ブレ量が設定閾値Ｂを超えた場合に、シャッターレリーズボタン３８の全押し操作によるシャッターレリーズ動作を不可とする制御がなされる。
【０１０４】
つまり、この「通常撮影モード−ＩＩ」による制御モード時には、検出ブレ量が設定閾値Ａとなるまでの期間と、設定閾値Ａから設定閾値Ｂまでの期間Ｐとで、シャッター抑圧力が明確に異なるように制御されるので、撮影者は指先の感覚で容易にブレ状況を知ることができるようにしている。
【０１０５】
そして、検出ブレ量が設定閾値Ｂを超えた場合（図６の期間Ｎ）は、シャッターレリーズボタン３８の全押し操作を不可として、ブレに起因する失敗写真となることを防ぐことができるようにしている。
【０１０６】
他方、「訓練モード」は、図７に示すように、ブレ検出部３６による検出ブレ量に関らず、初めからある程度のシャッター抑圧力がシャッターレリーズボタン３８に対して加える制御がなされている。そして、検出ブレ量の増加に関らず、初期のシャッター抑圧力を維持するように制御し、設定閾値Ａとなった時点以降の期間Ｎにおいては、シャッター抑圧力の制御により、シャッターレリーズボタン３８の全押し操作を不可とする制御を行っている。
【０１０７】
以上説明したように上記第２の実施形態によれば、上述の第１の実施形態と同様の効果を得ることができると共に、モード選択ボタン３９を設け、シャッター抑圧制御部３７による複数の制御モードを撮影者が予め選択し得るように構成したので、撮影動作時のシャッター抑圧力の制御を、異なる形態とすることができる。これに加えて、検出ブレ量が設定閾値を超えた場合には、常にシャッターレリーズボタン３８の全押し操作を不可とする「訓練モード」を設けたことにより、本実施形態の撮像装置１Ａは、手ブレを抑止するためのホールディング技術を向上させる訓練装置として機能させることもできる。
【０１０８】
（第３の実施形態）
次に、本発明の第３の実施形態のブレ撮像防止ユニットを適用した撮像装置について、図８，図９及び図１０〜図１２を用いて以下に説明する。
【０１０９】
図８は、本発明の第３の実施形態のブレ撮像防止ユニットを適用した撮像装置の主要構成を概略的に示すブロック構成図である。図９は、図８の撮像装置に適用されるブレ撮像防止ユニットの主要構成と、これに関連する構成部材を取り出して示す要部ブロック構成図である。図１０〜図１１は、図８の撮像装置に適用されるブレ撮像防止ユニットのシャッター抑圧制御部によって表示される手ブレ状況を示す表示例を示す図である。このうち、図１０は、モニター画像にブレ軌跡情報を重畳表示させた場合の表示画面を示す図である。図１１は、図１０の表示画面に対してブレ量の許容範囲表示を重畳表示させた場合の表示画面を示す図である。図１２は、図１０の表示画面に対してシャッターオンのタイミングマークを重畳表示させた場合の表示画面を示す図である。
【０１１０】
本発明の第３の実施形態の構成は、基本的には、上述の第２の実施形態の構成と略同様の構成であるが、本実施形態の撮像装置１Ｂにおいては、ブレ撮像防止ユニット２Ｂの構成が若干異なる。
【０１１１】
即ち、本実施形態におけるブレ撮像防止ユニット２Ｂは、上記第１，第２の実施形態におけるブレ撮像防止ユニット２と同様の構成に加えて、さらに図８，図９に示すようにブレ軌跡データ生成部である軌跡情報記憶部４０を具備している点が異なる。したがって、上述の第２の実施形態と同様の構成部材については、同じ符号を附して、その詳細説明は省略する。
【０１１２】
上記軌跡情報記憶部４０は、ブレ検出部３６によって検出されたブレ量に応じた信号情報に基いて、所定の信号処理によりブレの軌跡情報（軌跡データ）を生成し記憶するブレ軌跡データ生成部として構成される回路部である。
【０１１３】
この軌跡情報記憶部４０によって生成されたブレ軌跡情報は、自身の内部に設けられる記憶部（図示せず）に記憶されると同時に、ビデオエンコーダ３０を介して表示部３４へと送られる。これにより、図１０に示すように、本撮像装置１Ｂが撮影モードで動作中に表示部３４に連続的に表示されるモニター画像上に手ブレ状況を視覚的に表示する指標として重畳表示されるようになっている。
【０１１４】
ここで、上述した本発明の第２の実施形態の撮像装置１Ｂにおいては、ブレ撮像防止ユニット２のシャッター抑圧制御部３７による制御モードとしての「訓練モード」を有し、この「訓練モード」による制御がなされた場合には、検出ブレ量が設定閾値を超えた時にシャッター抑圧力を制御して、シャッターレリーズボタン３８の全押し操作を不可とする制御を行うのみである。
【０１１５】
これに対して、本実施形態の撮像装置１Ｂにおいては、ブレ撮像防止ユニット２に軌跡情報記憶部４０をさらに具備することによって、上述の第２の実施形態における制御に加えて、さらに表示部３４を用いて手ブレ状況を表示部３４を用いてリアルタイムに視覚的に表示することができるようになっている。これと共に、撮影画像の記録動作がなされた場合には、その撮影画像に対応する手ブレ状況を表すブレ軌跡情報が撮影画像に関連付けられて記録されるようにもなっている。
【０１１６】
このように構成される本実施形態の撮像装置１Ｂの作用は、基本的には上述の第２の実施形態の撮像装置１Ａの作用と略同様である。
【０１１７】
本実施形態の撮像装置１Ｂにおいては、電源オン状態とされ、動作モードが撮影モードに設定された状態とされ、かつ撮影者がモード選択ボタン３９を用いて所望の制御モードのうち「訓練モード」が選択された場合において、シャッターレリーズボタン３８の半押し操作がなされると、ＣＰＵ３２の制御下でブレ撮像防止ユニット２Ｂによるブレ検出動作とシャッター抑圧力の「訓練モード」に応じた制御が実行される。
【０１１８】
この場合において、ブレ検出部３６は、シャッターレリーズボタン３８の半押し操作が継続している間、ブレ量の検出動作を行って、そのブレ検出信号をシャッター抑圧制御部３７へと出力すると同時に、軌跡情報記憶部４０へも出力する。
【０１１９】
このブレ検出信号を受けて、シャッター抑圧制御部３７は、設定されている制御モードである「訓練モード」による制御にしたがって、検出ブレ量に応じたシャッター抑圧力の制御を行う。
【０１２０】
これと同時に、軌跡情報記憶部４０は、ブレ検出部３６からのブレ検出信号を用いて所定の信号処理を施し、これを軌跡情報としてビデオエンコーダ３０へと送る。これを受けてビデオエンコーダ３０は、表示部３４に表示中のモニター画像に重畳させてブレの軌跡を表す表示線の形態の指標５１として表示させる。
【０１２１】
これにより、表示部３４には、図１０に示すように、モニター画像３４ａと、ブレ軌跡情報を表す指標５１とが表示される。この指標５１は、例えばモニター画像３４ａの略中央部分近傍のフォーカスポイントを含む領域に表示されるようになっている。
【０１２２】
このように表示部３４を用いて、モニター画像３４ａにブレ軌跡情報の指標５１を重畳表示させることにより、撮影者は、通常中止すべき表示部３４のモニター画像３４ａの上で手ブレ状況を確認することができるようになっている。
【０１２３】
この場合において、図１１に示すように、表示部３４のモニター画像３４ａ上の所定の領域、例えば画面略中央部分に手ブレの許容範囲を示す指標枠５２を表示させるようにしてもよい。撮影者は、手ブレ状況のブレ軌跡情報を表す指標５１が、指標枠５２内に収まるように撮像装置１Ｂのホールディングに注意することで、ブレを抑えた撮影結果を得ることができるようになる。
【０１２４】
一方、軌跡情報記憶部４０で所定の信号処理が施された軌跡情報は、メモリ制御部２８を介してＳＤＲＡＭ２９へも送られる。これにより、ＳＤＲＡＭ２９には、撮影動作により得られた撮影画像の画像信号と、これに対応する軌跡情報とが一時的に記憶される。
【０１２５】
したがって、撮影者による記録動作、即ちシャッターレリーズボタン３８の全押し操作がなされてレリーズ信号が発生すると、これを受けてＣＰＵ３２はＪＰＥＧ部３１を駆動制御する。これにより、当該ＪＰＥＧ部３１は、ＳＤＲＡＭ２９に一時的に記憶されている各種信号を読み出して、これらを関連付けて一連の画像データとする信号圧縮処理を実行する。これにより生成された圧縮データは、ＪＰＥＧ部３１からメモリカード３３へと送られて、同メモリカード３３の所定の領域に記録される。
【０１２６】
なお、本実施形態においては、上述の記録動作が実行されたタイミング、つまりシャッターレリーズボタン３８の全押し操作によるレリーズ信号の発生タイミングに関する情報を記録するようにしている。
【０１２７】
このようにして、メモリカード３３に記録された画像データは、撮像装置１Ｂを再生モードで動作させることにより、表示部３４を用いて再生表示させることができるのは、通常の一般的な撮像装置と同様である。
【０１２８】
この再生動作を行う場合において、本実施形態の撮像装置１Ｂでは、図１２に示すように、モニター画像３４ａに重畳させて手ブレ状況を表すブレ軌跡情報の指標５１とシャッタータイミング指標５３とを表示させることができるようになっている。
【０１２９】
なお、本実施形態においても、「訓練モード」による制御で動作しているときには、上述したようにブレ検出部３６による検出ブレ量が設定閾値Ａを超えたとき（図７参照）には、シャッターレリーズボタン３８の全押し操作を不可としている。この場合には、上述の記録動作も行なうことはできない。
【０１３０】
そこで、これとは別形態の制御として、検出ブレ量が設定閾値Ａを超えたときにも、シャッターレリーズボタン３８の全押し操作を許可するように制御して、記録動作を行ったときには検出ブレ量に関らず、撮影画像取得動作（レリーズ動作）と手ブレ状況の記録動作とを共に行われるように制御してもよい。このような制御によれば、検出ブレ量が大きい場合の手ブレ状況も撮影画像と共に記録した後、所望のときに撮像装置を再生モードで動作させることで、そのときの撮影画像を手ブレ状況と共に再生表示させることができるので、撮影者は、ホールディングの癖等の状況を把握することが可能になり、よって、ホールディング技術を向上させるための訓練に役立たせることができるようになる。
【０１３１】
以上説明したように上記第３の実施形態によれば、上述の第２の実施形態と同様の効果を得ることができる。
【０１３２】
さらに、これに加えて、本実施形態によれば、「訓練モード」時のシャッター抑圧制御部３７の制御として、撮影動作時には、表示部３４に表示されるモニター画像に重畳させて手ブレ状況を表すブレ軌跡情報の指標５１（図１０参照）を表示するような制御を行う。また、撮影画像の記録時には、撮影画像信号と、これに対応する手ブレ状況を表すブレ軌跡情報やシャッタータイミング情報等の付帯情報を撮影画像に関連付けて記録するような制御としている。したがって、撮影者は、撮影動作時に撮像画像と手ブレ状況とを表示部３４にて同時に観察することができると共に、記録した撮影画像の再生表示を行う際には、表示部３４にて撮影画像と共に手ブレ状況を同時に表示させることができるので、ホールディングの癖等を把握することができ、ホールディング技術を向上させる訓練に役立たせることができる。
【０１３３】
（第４の実施形態）
次に、本発明の第４の実施形態のブレ撮像防止ユニットを適用した撮像装置について、図１３を用いて以下に説明する。
【０１３４】
図１３は、本発明の第４の実施形態のブレ撮像防止ユニットを適用した撮像装置の主要構成を概略的に示すブロック構成図である。
【０１３５】
上述の第１〜第３の実施形態では、撮像装置の内部構成としてブレ撮像防止ユニットを適用した場合の形態を示したものである。これに対して、本実施形態は、ブレ防止機能を具備しない一般的な撮像装置に対して、着脱自在に別体構成されるブレ撮像防止ユニットを組み合わせることにより、簡易的なブレ防止機能を有する撮像装置として機能するように構成した場合の例示である。
【０１３６】
即ち、図１３に示すように、本実施形態において、撮像装置１Ｃは、ブレ防止機能を具備しない一般的な形態の撮像装置を採用しているものとする。その内部構成は、従来の一般的な撮像装置と同様の構成からなるものである。
【０１３７】
例えば、本実施形態の撮像装置１Ｃは、上述の第１の実施形態における撮像装置１のブレ撮像防止ユニット２を取り除いた構成のものと略同様のものであると考えることができる。したがって、上記第１の実施形態の撮像装置１と同じ構成部材については、図１３において同じ符号を附して示し、その詳細説明を省略する。
【０１３８】
一方、本実施形態において、ブレ撮像防止ユニット２Ｃは、上記撮像装置１Ｃに対して別体に構成されているものである。
【０１３９】
ブレ撮像防止ユニット２Ｃは、その内部にブレ検出部４６と、シャッター抑圧制御部４７と、これらを制御するＣＰＵ５０等を備えて構成されている。
【０１４０】
また、このブレ撮像防止ユニット２Ｃには、上記シャッター抑圧制御部４７と電気的に又は機械的に接続されるシャッターレリーズボタン４８が設けられている。
【０１４１】
シャッター抑圧制御部４７は、撮像装置１Ｃのシャッターレリーズボタン３８に対して機械的に連設され同シャッターレリーズボタン３８の押し下げ方向とは逆方向の付勢力を発生させる付勢部４７ａと、シャッターレリーズボタン４８に対して電気的に接続され、または、シャッターレリーズボタン４８に対して機械的に連設されシャッターレリーズボタン４８の押し下げ方向とは逆方向の付勢力を発生させる付勢部４７ａａと、ＣＰＵ５０の制御下でブレ検出部４６によって検出されるブレ量に基いて上記付勢部４７ａ，４７ａａによる両付勢力をそれぞれ制御する制御部４７ｂと、を有して構成されている。
【０１４２】
このように構成されるブレ撮像防止ユニット２Ｃは、撮像装置１Ｃに対して着脱自在に配設することができるようになっている。この場合において、撮像装置１Ｃに対してブレ撮像防止ユニット２Ｃを装着した状態では、ブレ撮像防止ユニット２Ｃのシャッター抑圧制御部４７は、撮像装置１Ｃのシャッターレリーズボタン３８との間で、付勢部４７ａを介して機械的に連設されるようになっている。
【０１４３】
このように構成された本実施形態のブレ撮像防止ユニット２Ｃを撮像装置１Ｃに装着して使用する際の作用は、基本的には上述の第１の実施形態と略同様である。
【０１４４】
まず、ブレ撮像防止ユニット２Ｃを撮像装置１Ｃに対して装着する。このとき、ブレ撮像防止ユニット２Ｃのシャッター抑圧制御部４７の付勢部４７ａと、撮像装置１Ｃのシャッターレリーズボタン３８とを接続する。これにより、両者は機械的に接続される。
【０１４５】
このように、ブレ撮像防止ユニット２Ｃと撮像装置１Ｃとが組み合わされた状態においては、両者は一体の撮像装置として機能するようになる。
【０１４６】
撮像装置１Ｃにおいて、電源オン状態とされ、かつ動作モードが撮影モードに設定された状態となっているときに、撮影者がシャッターレリーズボタン４８の半押し操作を行うと、その指示信号がＣＰＵ５０へと出力される。
【０１４７】
これを受けてＣＰＵ５０は、ブレ検出部４６の駆動制御を開始する。これと同時に、ＣＰＵ５０は、シャッター抑圧制御部４７を制御する。
【０１４８】
これにより、ブレ検出部４６は、ブレ検出動作を実行し、検出ブレ量のデータ信号をシャッター抑圧制御部４７へと伝達する。同時に、シャッター抑圧制御部４７の制御部４７ｂは、付勢部４７ａの付勢力を制御して所定のシャッター抑圧力にて撮像装置１Ｃ側のシャッターレリーズボタン３８を押圧する制御を実行する。これにより、撮像装置１Ｃのシャッターレリーズボタン３８は、半押し操作がなされたのと同様の状態となり、操作ＳＷ３５からは所定のシャッター半押し指示信号がＣＰＵ３２へと出力される。したがって、撮像装置１Ｃは、撮影動作のシーケンスのうち撮影予備動作、つまりシャッターレリーズボタン３８が半押し操作された時の動作を実行する。
【０１４９】
これと共に、シャッター抑圧制御部４７は、検出ブレ量のデータ信号を受けて、ＣＰＵ５０の制御下で、予め設定されたブレ量に関する設定閾値と、検出ブレ量のデータ信号とを比較する信号処理を行う。
【０１５０】
そして、シャッター抑圧制御部４７は、制御部４７ｂの制御によって付勢部４７ａ，４７ａａによる付勢力を制御して、シャッターレリーズボタン４８，３８の押圧力（シャッター抑圧力）を、検出ブレ量に応じて制御する。
【０１５１】
この場合のシャッター抑圧力の制御は、例えば上述の第１，第２の実施形態で示した撮影モード時の制御等と同様の制御（図３，図６参照）が行われる。
【０１５２】
つまり、ブレ検出部４６による検出ブレ量が増大する程、シャッター抑圧制御部４７によるシャッター抑圧力を大とする制御により、操作者は、シャッターレリーズボタン４８を押圧する指先にかかる力量によって、ブレ状況を把握することができるようになっている。
【０１５３】
また、所定の設定閾値を超えるブレ量が検出された場合には、シャッター抑圧制御部４７は、シャッターレリーズボタン４８，３８の全押し操作を不可とするように付勢力を制御する。これにより、検出ブレ量が所定値以上となった場合には、撮影動作を不可することで、ブレに起因する失敗写真となることを防いでいる。
【０１５４】
以上説明したように上記第４の実施形態によれば、ブレ防止機能を具備しない撮像装置１Ｃに対して別体構成としたブレ撮像防止ユニット２Ｃを装着し、両者を組み合わせて機能させることにより、簡易的なブレ防止機能附き撮像装置として使用できる。
【０１５５】
なお、上記第４の実施形態のブレ撮像防止ユニット２Ｃに対して、さらに、上述の第２，第３の実施形態の撮像装置で示すモード選択ボタン３９を設ける構成とすることで、本実施形態の撮像装置１Ｃとブレ撮像防止ユニット２Ｃとを組み合わせた形態の撮像装置を、「訓練モード」に対応させる構成とすることは容易に可能である。
【０１５６】
また、上記第４の実施形態においては、撮像装置１Ｃとブレ撮像防止ユニット２Ｃとの接続は、図１３に示すように、撮像装置１Ｃのシャッターレリーズボタン３８を介して行うように構成した例を示しているが、このような構成に限ることはなく、他の形態、例えば撮像装置全体を覆う箱型形状の筐体でブレ撮像防止ユニットを形成するようにしてもよい。
【０１５７】
この場合の具体的な形態例としては、例えば水中ハウジング等がある。この形態の構成例とした場合には、ブレ撮像防止ユニットを具備した水中ハウジング内に、ブレ防止機能を具備しない撮像装置を内装させることで、簡易的にブレ防止機能付きの水中撮影可能な撮像装置とすることができる。
【０１５８】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【０１５９】
【図１】本発明の第１の実施形態のブレ撮像防止ユニットを適用した撮像装置の主要構成を概略的に示すブロック構成図。
【図２】図１の撮像装置に適用されるブレ撮像防止ユニットの主要構成と、これに関連する構成部材を取り出して示す要部ブロック構成図。
【図３】図１の撮像装置に適用されるブレ撮像防止ユニットのシャッター抑圧制御部によるシャッター抑圧力のブレ量に応じた制御を示すグラフ。
【図４】本発明の第２の実施形態のブレ撮像防止ユニットを適用した撮像装置の主要構成を概略的に示すブロック構成図。
【図５】図４の撮像装置に適用されるブレ撮像防止ユニットの主要構成と、これに関連する構成部材を取り出して示す要部ブロック構成図。
【図６】図４の撮像装置に適用されるブレ撮像防止ユニットのシャッター抑圧制御部による「通常撮影モード−ＩＩ」時の制御を示すグラフ。
【図７】図４の撮像装置に適用されるブレ撮像防止ユニットの「訓練モード」時の制御を示すグラフ。
【図８】本発明の第３の実施形態のブレ撮像防止ユニットを適用した撮像装置の主要構成を概略的に示すブロック構成図。
【図９】図８の撮像装置に適用されるブレ撮像防止ユニットの主要構成と、これに関連する構成部材を取り出して示す要部ブロック構成図。
【図１０】図８の撮像装置に適用されるブレ撮像防止ユニットのシャッター抑圧制御部によって表示される手ブレ状況を示す表示例を示し、モニター画像にブレ軌跡情報を重畳表示させた場合の表示画面を示す図。
【図１１】図１０の表示画面に対してブレ量の許容範囲表示を重畳表示させた場合の表示画面を示す図。
【図１２】図１０の表示画面に対してシャッターオンのタイミングマークを重畳表示させた場合の表示画面を示す図。
【図１３】本発明の第４の実施形態のブレ撮像防止ユニットを適用した撮像装置の主要構成を概略的に示すブロック構成図。
【符号の説明】
【０１６０】
１，１Ａ，１Ｂ，１Ｃ……撮像装置
２，２Ｂ，２Ｃ……ブレ撮像防止ユニット
２１……撮影光学系
２２……シャッター部
２３……撮像素子（ＣＣＤ）
２４……プリプロセス部
２５……ＡＤ変換部（ＡＤ部）
２６……画像処理部
２７……バス
２８……メモリ制御部
２９……一時メモリ
３０……ビデオエンコーダ
３１……圧縮伸長部（ＪＰＥＧ部）
３２……制御回路部（ＣＰＵ）
３３……メモリカード
３４……表示部
３４ａ……モニター画像
３５……操作スイッチ（操作ＳＷ）
３６，４６……ブレ検出部
３７，４７……シャッター抑圧制御部
３７ａ，４７ａ，４７ａａ……付勢部
３７ｂ，４７ｂ……制御部
３８，４８……シャッターレリーズボタン
３９……モード選択ボタン
４０……軌跡情報記憶部
５０……ＣＰＵ（ブレ撮像防止ユニット側）
５１……指標
５２……指標枠
５３……シャッタータイミング指標
【図１】
2010068141.tif 000003
【図２】
2010068141.tif 000004
【図３】
2010068141.tif 000005
【図４】
2010068141.tif 000006
【図５】
2010068141.tif 000007
【図６】
2010068141.tif 000008
【図７】
2010068141.tif 000009
【図８】
2010068141.tif 000010
【図９】
2010068141.tif 000011
【図１０】
2010068141.tif 000012
【図１１】
2010068141.tif 000013
【図１２】
2010068141.tif 000014
【図１３】
2010068141.tif 000015